(57)【要約】【課題】  営業段階から住宅の受注、施工、完成引き渡し、アフターケアまでの多様な工程と膨大な作業項目について、その作業項目の担当者（実施責任者）に対して、最適なタイミングで個別に作業指示を出すことを可能とする。【解決手段】  開始から終了までの全工程に関係する関係者が使用する端末装置１と、開始から終了までの全工程の進捗を管理する管理装置２とが通信ネットワークＮを介して接続されており、管理装置２は、開始から終了までの全工程をパターン化するとともに、そのパターン化された全工程内の全作業項目を複数のユニットに区分して進捗管理情報格納部２１の工程パターン情報格納部２２３に格納し、制御部２１は、これらユニットを相互に連携して日付を管理するととに、任意のユニットの任意の作業項目の日付が変更された場合には、その変更を関連する他のユニットの日付にも反映させて管理する。【選択図】  図１
2006099537.tif 000002
【特許請求の範囲】
【請求項１】
開始から終了までの全工程に関係する関係者が使用する端末装置と、開始から終了までの全工程の進捗を管理する管理装置とが通信ネットワークを介して接続された進捗管理システムであって、
前記管理装置は、
開始から終了までの全工程をパターン化するとともに、そのパターン化された全工程内の全作業項目を複数のユニットに区分して記憶する記憶手段と、
これらユニットを相互に連携して日付を管理するとともに、任意のユニットの任意の作業項目の日付が変更された場合には、その変更を関連する他のユニットの日付にも反映させて全工程及び全ユニットを一元管理する管理手段とを備えていることを特徴とする進捗管理システム。
【請求項２】
前記管理装置及び前記端末装置は、パターン化された全工程及びその全工程内を区分する全ユニットをカレンダー上に展開してその全体若しくは一部分を表示する表示手段を備えていることを特徴とする請求項１に記載の進捗管理システム。
【請求項３】
前記管理手段は、管理対象であるパターン化された全工程の工事の開始日をカレンダー上で選択することにより、その開始日を基準日として工事終了までの前記作業項目の予定日を算出して割り振ることを特徴とする請求項２に記載の進捗管理システム。
【請求項４】
前記作業項目には、その作業の実施責任者が割り当てられており、前記管理装置は、任意の実施責任者の使用する端末装置からの送信要求により、全ユニット内の全作業項目から前記実施責任者に割り当てられている作業項目を抽出し、この作業項目に関連する情報のみを前記端末装置に送信することを特徴とする請求項１ないし請求項３のいずれかに記載の進捗管理システム。
【請求項５】
前記実施責任者は、使用する端末装置に表示された自身に割り当てられている作業項目について作業を完了した場合には、その端末装置から完了入力を行って前記管理装置に送信し、前記管理装置は、この完了入力の日と当該作業項目の予定日とに基づいて各作業の進捗管理を行うことを特徴とする請求項４に記載の進捗管理システム。
【請求項６】
前記管理装置は、前記作業項目に割り振られた予定日に基づき、その予定日の数日前に当該作業項目の作業指示を、その作業項目が割り当てられている実施責任者の使用する端末装置に送信することを特徴とする請求項４に記載の進捗管理システム。
【発明の詳細な説明】
【技術分野】
【０００１】
本発明は、開始から終了までの全工程に関係する関係者が使用する端末装置と、開始から終了までの全工程の進捗を管理する管理装置とが通信ネットワークを介して接続された進捗管理システムに係り、より詳細には、建築のプロセス、すなわち、営業段階から住宅の受注、施工、完成引き渡し、アフターケアまでを一元管理する進捗管理システムに関する。
【背景技術】
【０００２】
建築のプロセスには、営業段階から住宅の受注、施工、完成引き渡し、アフターケアまで、多様な工程と膨大な作業項目があり、また開始から終了までの期間も長いことから、これらを包括的に一元管理することは従来困難であった。
【０００３】
一方、コンピュータの発達に伴い、建築工事の進捗をコンピュータによって管理する工事進捗管理システムが提案されている（例えば、特許文献１参照）。
【０００４】
この工事進捗管理システムは、建築工事の進捗管理データベースが記録された進捗管理データ記憶手段と、進捗管理データベースに対するアクセス要求に対応して進捗管理データベースの該当データへのアクセスを処理するアクセス処理手段とを備える建築工事進捗管理システム用サーバと、サーバのアクセス処理手段に対してアクセス要求を出力可能なクライアント端末とを有し、進捗管理データベースを各端末を介して監督、業者、施主で共有するようになっている。
【特許文献１】特開２００１−２９７１３１号公報
【発明の開示】
【発明が解決しようとする課題】
【０００５】
上記構成の工事進捗管理システムによれば、進捗管理データベースを共有することから、監督、業者、施主の全員が、建築工事の進捗状況を容易に確認することが可能となる。
【０００６】
しかし、業者が確認できるのは、縦軸に工事名（基礎工事、外装工事、内装工事、配管工事・・・）、横軸にそのスケジュール（月日）をとり、例えば基礎工事を開始予定日から終了予定日まで横棒の長さで示したグラフが表示されるだけであり、日々の日程までは確認できないといった問題があった。また、工事の開始から終了までの工程計画を立案した後、何らかの理由でその立案した工程計画の任意の工程で開始予定日が変更になった場合には、それに合わせてその後の工程計画の全日程を変更する必要があり、煩わしい作業になるといった問題もあった。さらに、建築のプロセスには、営業段階から住宅の受注、施工、完成引き渡し、アフターケアまで、多様な工程と膨大な作業項目があるが、このような個別の作業項目について、かつ、その作業項目の実施責任者に対して、最適なタイミングで個別に作業指示を与えるようなシステムについては、現在のところ提案されていない。
【０００７】
本発明はかかる問題点を解決すべく創案されたもので、その目的は、営業段階から住宅の受注、施工、完成引き渡し、アフターケアまでの多様な工程と膨大な作業項目について、その作業項目の担当者（実施責任者）に対して、最適なタイミングで個別に作業指示を出すことができるとともに、作業項目単位でのきめ細かな進捗管理が行える進捗管理システムを提供することにある。
【課題を解決するための手段】
【０００８】
本発明の進捗管理システムは、開始から終了までの全工程に関係する関係者が使用する端末装置と、開始から終了までの全工程の進捗を管理する管理装置とが通信ネットワークを介して接続された進捗管理システムであって、前記管理装置は、開始から終了までの全工程をパターン化するとともに、そのパターン化された全工程内の全作業項目を複数のユニットに区分して記憶する記憶手段と、これらユニットを相互に連携して日付を管理するととに、任意のユニットの任意の作業項目の日付が変更された場合には、その変更を関連する他のユニットの日付にも反映させて全工程及び全ユニットを一元管理する管理手段とを備えていることを特徴とする。
【０００９】
すなわち、本発明は、開始から終了までの全工程をパターン化する点、及びそのパターン化された全工程内の全作業項目を複数のユニットに区分してユニット単位で管理する点に特徴を有している。
【００１０】
ここで、開始から終了までの全工程とは、例えば住宅の受注から、施工、完成引き渡しまでについて見ると、基本設計契約後、公庫申込、本設計契約、設計審査会議、本契約、起工式、基礎着工、上棟、中間検査、中間金手続き、足場撤去、最集金手続き、社内完成検査前、社内完成検査後、引き渡し、の１５の工程からなっている。また、区分するユニットについては、例えばこの各工程を一つのユニットとして扱うことができる。ただし、ユニットの区分の仕方は、工程別に限らず、例えば重要なイベントの締めごとに区切ってもよい。また、作業項目とは、例えば基本設計契約後のユニットでは、「新規営業物件（情報）報告書を提出した。」、「全ての打ち合わせに「打ち合わせシート」を必ず記入している。」、「「敷地調査依頼書」を発送した。」、「現場案内図を作成した。」、「現場案内図を工事課に提出した。」、「土地購入を伴う場合、決済は終了しているか。」、「基本設計受領をＣＳ課・会長・社長に報告した。」、「仮設電気の申請用紙を準備した。」、「仮設水道の申請用紙を準備した。」、・・・、といった具合に、実施責任者が基本設計契約を締結するに際し実際に行わなければならない具体的な作業内容となっている。
【００１１】
この場合、本発明の進捗管理システムでは、前記管理装置及び前記端末装置は、パターン化された全工程及びその全工程内を区分する全ユニットをカレンダー上に展開してその全体若しくは一部分を表示する表示手段を備えている。従って、営業担当者や設計担当者、施工担当者は、カレンダー上に展開して表示されている上記した日々の作業項目を確認しながら、その作業項目を確実に実施することができる。
【００１２】
また、前記管理手段は、管理対象であるパターン化された全工程の工事の開始日をカレンダー上で選択することにより、その開始日を基準日として工事終了までの前記作業項目の予定日を割り振るようになっている。このように、本発明によれば、カレンダー上で開始日を指定するだけで、工事終了までの全日程を作業項目単位で自動的に割り振ることができるため、全工程の作業スケジュールを矛盾なく、かつ簡単に作成することができる。
【００１３】
ここで、前記作業項目には、その作業の実施責任者が割り当てられており、前記管理装置は、任意の実施責任者の使用する端末装置からの送信要求により、全ユニット内の全作業項目から前記実施責任者に割り当てられている作業項目を抽出し、この作業項目に関連する情報のみを前記端末装置に送信することを特徴とする。
【００１４】
このような特徴を有する本発明によれば、実施責任者は、自分の担当する作業項目のみをカレンダー上に展開した状態で自分の使用する端末装置に表示することができるので、日々行わなければならない作業内容が一目で確認でき、作業のし忘れといった全体のスケジュールの遅延につながる重大なミスの発生を未然に防止することが可能となる。
【００１５】
また、前記実施責任者は、使用する端末装置に表示された自身に割り当てられている作業項目について作業を完了した場合には、その端末装置から完了入力を行って前記管理装置に送信するように構成する。これにより、前記管理装置は、この端末装置から送信されてきた完了入力の日と、予め計画立案した当該作業項目の予定日とに基づいて、各作業の進捗管理を行うことができる。
【００１６】
この場合、前記管理装置は、前記作業項目に割り振られた予定日に基づき、その予定日の数日前に当該作業項目の作業指示を、その作業項目が割り当てられている実施責任者の使用する端末装置に送信することを特徴とする。このように、予定日の数日前に作業指示が送信されてくるので、実施責任者は、自分が担当する作業項目の予定日が近づいていることを認識することができ、作業のし忘れといった重大なミスの発生を事前に防止することが可能となる。
【発明の効果】
【００１７】
本発明の進捗管理システムによれば、営業段階から住宅の受注、施工、完成引き渡し、アフターケアまでの多様な工程と膨大な作業項目について、その作業項目の担当者に対して、最適なタイミングで個別に作業指示を出すことができるとともに、作業項目単位でのきめ細かな進捗管理を行うことができる。
【発明を実施するための最良の形態】
【００１８】
以下、本発明の実施の形態について、図面を参照して説明する。
【００１９】
図１は、本実施形態の進捗管理システムの全体構成を示す説明図である。
【００２０】
本実施形態の進捗管理システムは、工事の開始から終了までの全工程に関係する関係者（営業担当者、設計担当者、施工担当者等の実施責任者をはじめ、管理者、承認者等）が使用するクライアント側の端末装置１，１・・・と、工事の開始から終了までの全工程の進捗を管理するサーバ側の管理装置２とが通信ネットワークＮを介して接続された構成となっている。
【００２１】
管理装置２は、大別すると、管理装置全体を制御する制御部２１と、進捗管理情報が格納された進捗管理情報格納部２２と、通信ネットワークＮを介して各端末装置１，１・・・と相互に接続するためのネットワークインターフェース（ネットワークＩ／Ｆ）２３とを備えている。
【００２２】
制御部２１は、図示は省略しているが、住宅の受注、施工、完成引き渡し、アフターケアまでの進捗管理を行うために予め設定された手順を実行させるプログラムを記録した記録媒体を備えている。
【００２３】
進捗管理情報格納部２２は、住宅を建設する顧客の情報が格納されている顧客情報格納部２２１、各端末装置１の情報及びその端末装置１を使用する関係者の情報が格納されている関係者情報格納部２２２、受注から施工、完成引き渡し、アフターケアまでの全工程をパターン化するとともに、そのパターン化された全工程内の全作業項目を複数のユニットに区分して工程パターンごとに記憶している工程パターン情報格納部２２３、住宅の受注から施工、完成引き渡し、アフターケアまでの進捗状況の情報（後述する日時処理の情報）を邸別に保存する進捗状況情報格納部２２４を備えている。
【００２４】
顧客情報格納部２２１には、顧客の住所、氏名、年齢、職業、家族構成等のデータが格納されている。
【００２５】
関係者情報格納部２２２には、工事の開始から終了までの全工程に関係する関係者（営業担当者、設計担当者、施工担当者等の実施責任者をはじめ、管理者、承認者等）の情報、及びその関係者が使用する端末装置の情報などが格納されている。
【００２６】
ここで、関係者の登録は、管理装置２にログイン後、本発明の進捗処理である日時処理を行うための基本データの登録の際に行う。基本データの登録とは、関係者の所属先部署の登録、関係者の役職の登録、工事の確認者、承認者、実施責任者等に割り当てる権限の登録、事業所情報の登録、ログインユーザ及び実施責任者の登録（関係者の登録）、後述する工程パターンごとの進捗工程の予定日加算係数の設定登録、実施責任者に対するメール送信の設定登録、などである。
【００２７】
図２は、このような基本データの登録画面８０の一例を示している。
【００２８】
この登録画面８０において、工事を担当する各会社の情報、すなわち個別の会社情報を登録することができる。例えば、任意の会社の組織図や役員名等がその会社に合わせた名前で登録でき、それに合わせて、各社員、役員等を関連付けすることができるので、どの会社にも対応することが可能となる。すなわち、本システムを個々の会社に合わせてカスタマイズ可能となっている。
【００２９】
図３は、工程パターン情報格納部２２３に格納されている工程パターンの例を示している。
【００３０】
工程パターンとは、建物の種類に応じてその工期をパターン化したものであり、例えば、３０坪タイプでは９０日、４０坪タイプでは１２０日、５０坪タイプでは１５０日、・・・といった具合に受注から引き渡しまでの工期をパターン化している。また、通期、冬期といった季節も考慮して、さらに細分化してもよい。
【００３１】
また、本実施形態では、上記した１つの工程パターンを基本的に１５のユニットに区分している。具体的には、「１．基本設計契約後」、「２．公庫申込」、「３．本設計契約」、「４．設計審査会議」、「５．本契約」、「６．起工式」、「７．基礎着工」、「８．上棟」、「９．中間検査」、「１０．中間金手続き」、「１１．足場撤去」、「１２．最集金手続き」、「１３．社内完成検査前」、「１４．社内完成検査後」、「１５．引き渡し」、の１５のユニット（工程）である。ただし、ユニットは、これらの工程に対応している必要はなく、必要に応じて任意に区分すればよい。
【００３２】
また、ユニット内は、多数の作業項目に区分されている。この作業項目が、実際に受注から施工、完成引き渡しまでに行わなければならない一つ一つの作業内容となっている。具体的には、例えば基本設計契約後のユニットでは、「新規営業物件（情報）報告書を提出した。」、「全ての打ち合わせに「打ち合わせシート」を必ず記入している。」、「「敷地調査依頼書」を発送した。」、「現場案内図を作成した。」、「現場案内図を工事課に提出した。」、「土地購入を伴う場合、決済は終了しているか。」、「基本設計受領をＣＳ課・会長・社長に報告した。」、「仮設電気の申請用紙を準備した。」、「仮設水道の申請用紙を準備した。」、・・・、といった具合に、その作業項目を直接実施する実施責任者が、基本設計契約を締結するに際し実際に行わなければならない具体的な作業内容となっている。
【００３３】
このように作業項目が区分された各ユニットは、それぞれ前後で隣接するユニット内の作業項目が一部重複するように設けられている。つまり、任意のユニット内の最初の方に配置されている作業項目は、その前に配置されているユニット内の最後の方にも配置されており、任意のユニット内の最後の方に配置されている作業項目は、その後に配置されているユニット内の最初の方にも配置されている。ただし、重複する作業項目の数は、そのユニット内の作業内容に従って任意の数に設定すればよい。
【００３４】
また、本実施形態では、これらユニットを相互に連携して日付を管理しており、任意のユニットの任意の作業項目の日付が変更された場合には、その変更を関連する他のユニットの日付にも反映させるようになっている。すなわち、任意のユニット内の任意の作業項目の作業が予定日より遅れて完了した場合には、その遅れた日数分を、その後のユニット内の全作業項目の予定日に反映させて自動的に設定変更するようになっている。ただし、その作業項目の遅れをその後の作業項目の予定日にも反映させるか否かは、任意に設定可能とする。すなわち、作業項目によっては、仮に遅延が発生したとしても、その後の作業項目に影響を与えることなく遅延を回復できる場合もあるため、そのような作業項目については、その後の作業項目にその遅延を反映させる必要がないからである。ただし、ユニット単位で予定日を変更した場合には、その変更はその後の全ユニットに自動的に反映されるようになっている。例えば、顧客との契約日が直前で変更になった場合でも、契約に関するユニットの日付を変更することで、その後の全ユニットの日付を自動的に変更することができるようになっている。
【００３５】
図４は、工程パターン情報格納部２２３に格納されている工程パターンを利用して、任意の顧客Ａの、受注から施工、完成引き渡しまでの工期日程を自動的に設定するための工事台帳画面９０を示している。
【００３６】
この工事台帳画面９０は、主として、工事No、工事名、顧客名、工事区分、建築所、郵便番号、住所、電話番号、ＦＡＸ番号、といった顧客情報入力画面９１と、受注から施工、完成引き渡しまでの全工程に係わる工事担当者（実施責任者、管理者、承認者等）の入力画面９２と、工程パターンに予定日を設定するための工程パターン設定画面９３とからなる。この工事台帳画面９０を用いて、顧客情報入力画面９１に必要事項を入力し、工事担当者の入力画面９２に各担当者を入力し、工程パターン設定画面９３で工程パターンを設定する。
【００３７】
工程パターンの設定では、「受付日付」の入力項目が予定日の自動計算を行う際の起点となる。工程パターン設定画面９３には、ユニット化されている１５の進捗工程名（「００１．基本設計契約後」、「００２．公庫申込」、「００３．本設計契約」、「００４．設計審査会議」、「００５．本契約」、「００６．起工式」、「００７．基礎着工」、「００８．上棟」、「００９．中間検査」、「０１０．中間金手続き」、「０１１．足場撤去」、「０１２．最集金手続き」、「０１３．社内完成検査前」、「０１４．社内完成検査後」、「０１５．引き渡し」）が表示されているので、まず、各工程について必要な工程であるか、不要な工程であるかを選択する。例えば、住宅金融公庫を利用しない顧客であれば、「００２．公庫申込」は「不要」を選択する。
【００３８】
このようにして１５の工程すべてに「要」、「不要」を設定した後、「受付日付」に受付日を入力し、「予定日反映」ボタン９３１をクリックすると、その受付日付を起点として、各工程の作業開始日が自動的に計算され、図４に示すように予定日として設定される。なお、図示は省略しているが、各工程に割り振られている作業項目についても、当然に予定日が設定されている。これにより、顧客Ａの、受注から施工、完成引き渡しまでの工期日程が個々の作業項目まで詳細に自動作成されることになる。このように自動作成された顧客Ａの工期日程は、進捗状況情報格納部２２４に格納される。
【００３９】
一方、端末装置１は、通信ネットワークＮを介して管理装置２と相互に接続するためのネットワークインターフェース（ネットワークＩ／Ｆ）を備えている他は、汎用のパーソナルコンピュータの機能のみを備えている。
【００４０】
次に、上記構成の進捗管理システムにおいて、任意の顧客Ａの住宅建築の受注から施工、完成引き渡しまでの全工程の進捗管理の処理手順について、ここでは「００１．基本設計契約後」の工程（ユニット）を例に挙げて説明する。
【００４１】
実施責任者が本システムにログインすると、端末装置１には、図５に示す日時処理（工程進捗管理）のトップページ画面１００が表示される。
【００４２】
トップページ画面１００には、画面左側に日時処理のメニュー欄が設けられており、メニュー欄の右側に、当該実施責任者が担当すべき事項（作業項目）について、本日から１週間の予定（処理すべき事項）がカレンダー上に表示される。例えば、翌日の３月１１日（木）には４つの作業項目が表示されており、３月１２日（金）には２つの作業項目が表示されており、３月１３日（土）には９個の作業項目が表示されており、３月１５日には２つの作業項目が表示されている。
【００４３】
このカレンダー表示は、画面右上のカーソル部１０１を操作することで日付変更が可能となっている。例えば「＜＜」を操作すると１週間前を表示し、「＜」を操作すると１日
前を表示し、「今日」を操作すると本日が一番左にくるように表示し、「＞」を操作する
と１日後を表示し、「＞＞」を操作すると１週間後を表示するようになっている。図５に
示す画面は「今日」を操作したときの画面となっており、この画面がトップページ画面１００を開いたときの初期表示画面である。
【００４４】
実施責任者は、例えば出勤時にこのトップページ画面１００を開いて、日々の工事実施状況を確認する。また、本システムでは、関係者情報格納部２２２に実施責任者に対するメール送信の設定登録が行われている場合には、進捗工程や事項の予定日の前後（基本的には数日前）にメールが送信されるので、送信されてきたメールによっても、実施しなければならない作業項目（若しくは実施を完了したはずの作業項目）を確認することができる。
【００４５】
ここで、実施責任者がトップページ画面１００のメニュー画面に表示されている「工事台帳」の項目１０２をクリックすると、図６に示す工事シート画面１１０が表示される。
【００４６】
この工事シート画面１１０は、例えば実施責任者がその日一日の仕事を終えて事務所等に戻ったときなど、その日の処理を行う場合に開く画面である。
【００４７】
この工事シート画面１１０には、上段に、工事名、顧客名称、工程名、予定日付、実施日付等の工事の概要に関する項目欄が設けられており、中段に、確認者、実施者、承認者の氏名が表示されており、下段に、進捗工程のチェック欄が表示されている。進捗工程のチェック欄は、「状態」、「実施者」、「事項（作業項目）」、「結果」、「備考」の各項目からなっている。
【００４８】
図６に示す工事シート画面１１０では、「基本設計契約後」の工程において、「新規営業物件（情報）報告書を提出した。」、「全ての打ち合わせに「打ち合わせシート」を必ず記入している。」、「「敷地調査依頼書」を発送した。」、「現場案内図を作成した。」、「現場案内図を工事課に提出した。」までの作業項目が実施完了「ＯＫ」となっており、残りの「土地購入を伴う場合、決済は終了しているか。」、「基本設計受領をＣＳ課・会長・社長に報告した。」、「仮設電気の申請用紙を準備した。」、「仮設水道の申請用紙を準備した。」、・・・、の作業項目が未実施の状態（空欄）となっている。ここで、実施責任者が、例えば今日、土地購入の決済を行った場合には、「土地購入を伴う場合、決済は終了しているか。」の作業項目の結果のところに「ＯＫ」を入力し、「備考」欄にも必要事項を入力して、「更新」ボタン１１１をクリックする。これにより、「土地購入を伴う場合、決済は終了しているか。」の作業項目が実施完了として登録される。つまり、次に工事シート画面１１０を開いたときには、「土地購入を伴う場合、決済は終了しているか。」の作業項目にも「ＯＫ」が入力された状態で表示されることになる。
【００４９】
一方、この進捗工程の確認者及び承認者に設定されている者は、実施責任者（ＣＳ課担当）の入力した作業項目の実施完了入力を確認及び承認する必要がある。
【００５０】
すなわち、承認者は、自身の端末装置１を用いて工事シート画面１１０を開き、画面右上の「承認」ボタン１１２をクリックすることで承認済みとなり、確認者は、自身の端末装置１を用いて工事シート画面１１０を開き、画面右上の「確認」ボタン１１３をクリックすることで確認済みとなる。その結果、画面中段の確認者欄１１４、承認者欄１１５及び実施責任者欄１１６のそれぞれに、「確認」の文言と日付（この例では、「２００４／０３／０８」）とが入力される。この例では、確認者は、「ＣＳ課課長」、「管理課課長」、「店長」の３名、承認者は「社長」の１名となっている。
【００５１】
このように、実施責任者は、その日一日の仕事を終えると、自己の端末装置１から工事シート画面１１０を開いて、作業完了チェックの処理を行い、確認者及び承認者もその日一日の終了時（若しくは、定期的）に、自己の端末装置１から工事シート画面１１０を開いて、確認チェック及び承認チェックを行うことにより、個々の住宅の受注から施工、完了引き渡しまでの全工程を日々チェックしながら管理することが可能となる。
【００５２】
また、図６に示す工事シート画面１１０の中段に配置されている「工事保守」ボタン１１７をクリックすると、図７に示す工事台帳画面１２０が表示される。この工事台帳画面１２０は、図４に示した工事台帳画面９０と同じである。
【００５３】
この工事台帳画面１２０では、実施責任者により進捗工程に関する入力を行うことができるようになっている。すなわち、進捗工程の修正が可能となっている。「進捗工程名」には、現在進行中の工程名が表示される。この例では、「基本設計契約後」が表示されている。ここで、上記図４の場合と同様に、まず、各工程について必要な工程であるか、不要な工程であるかを選択し、次に、「受付日付」に受付日を入力し、「予定日反映」ボタン１２１をクリックする。これにより、不要になっていない工程とすでに進行していて予定日変更ができない進捗工程以外の予定日が自動的にセットされる。この後、「更新」ボタン１２２をクリックすると、更新後の工期日程（工事台帳）が進捗状況情報格納部２２４に更新して格納される。
【００５４】
なお、上記実施形態では、住宅の受注から施工、完成引き渡しまでの工程について説明しているが、、完成引き渡し後のアフターケア（例えば、各設備のメンテナンスや１０年後の外装塗装等）まで含めて進捗管理を実施することが可能である。
【図面の簡単な説明】
【００５５】
【図１】本発明の進捗管理システムの全体構成を示す説明図である。
【図２】基本データの登録画面の一構成例を示す説明図である。
【図３】工程パターン情報格納部に格納されている工程パターンの例を示す説明図である。
【図４】工程パターン情報格納部に格納されている工程パターンを利用して、受注から施工、完成引き渡しまでの工期日程を自動的に設定するための工事台帳画面の構成例を示す説明図である。
【図５】日時処理（工程進捗管理）のトップページ画面の構成例を示す説明図である。
【図６】工事シート画面の構成例を示す説明図である。
【図７】工事台帳画面の構成例を示す説明図である。
【符号の説明】
【００５６】
１  端末装置
２  管理装置
２１  制御部
２２  進捗管理情報格納部
２３  ネットワークＩ／Ｆ
２２１  顧客情報格納部
２２２  関係者情報格納部
２２３  工程パターン情報格納部
２２４  進捗状況情報格納部
Ｎ  通信ネットワーク
【図１】
2006099537.tif 000003
【図２】
2006099537.tif 000004
【図３】
2006099537.tif 000005
【図４】
2006099537.tif 000006
【図５】
2006099537.tif 000007
【図６】
2006099537.tif 000008
【図７】
2006099537.tif 000009